(57)【要約】【課題】  従来における足踏み式の昇降装置にあっては、座部の上昇を行なうには、操作レバーを何度も踏み込むことで行なうので操作が面倒であると共に座部は間欠的に上昇するので、被施術者に不快感を与えるといった問題があった。【解決手段】  踏み込むことによりスイッチ１５をオン状態となしモータポンプ６を駆動して昇降シリンダ３を上昇させる上昇ペダル１０と、踏み込むことにより排油シリンダ４内の逆止弁７を開放して前記昇降シリンダ内の油を排油させる下降ペダル９と、該下降ペダルと前記上昇ペダルとを回転軸１３によって連結すると共に前記上昇ペダルの回転を前記回転軸に対して遊びを持たせて下降ペダルを踏み込んでも上昇ペダルが前記スイッチをオン状態としないようにし、かつ、上昇ペダルを踏み込んでも下降ペダルによる排油が行なわれないようにした理美容用椅子の昇降装置である。【選択図】        図１
2006288664.tif 000002
【特許請求の範囲】
【請求項１】
踏み込むことによりスイッチをオン状態となしモータポンプを駆動して昇降シリンダを上昇させる上昇ペダルと、踏み込むことにより排油シリンダ内の逆止弁を開放して前記昇降シリンダ内の油を排油させる下降ペダルと、該下降ペダルと前記上昇ペダルとを回転軸によって連結すると共に前記上昇ペダルの回転を前記回転軸に対して遊びを持たせて下降ペダルを踏み込んでも上昇ペダルがスイッチをオン状態としないようにし、かつ、上昇ペダルを踏み込んでも下降ペダルによる排油が行なわれないようにしたことを特徴とする理美容用椅子の昇降装置。
【請求項２】
前記上昇ペダルおよび前記下降ペダルの踏み込み初期において昇降シリンダのラムをロックするロック手段の締め付けを解除し、前記上昇ペダルによる前記昇降シリンダのラムの上昇時、および、前記下降ペダルによる前記昇降シリンダのラムの下降時において、前記上昇ペダルおよび下降ペダルを押し上げることで前記ロック手段によるロックが行なわれることを特徴とする請求項１記載の理美容用椅子の昇降装置。
【請求項３】
前記上昇ペダルおよび前記下降ペダルの踏み込み初期において昇降シリンダのラムをロックするロック手段の締め付けを解除し、前記上昇ペダルによる前記昇降シリンダのラムの上昇停止時、および、前記下降ペダルによる前記昇降シリンダのラムの下降停止時において、前記上昇ペダルおよび下降ペダルを押し上げることで前記ロック手段によるロックが行なわれ、また、ロックペダルを設け、該ロックペダルを踏み込むことで前記ロック手段によるロックが行なわれるようにしたことを特徴とする請求項１記載の理美容用椅子の昇降装置。
【発明の詳細な説明】
【技術分野】
【０００１】
本発明は、油圧手段によって座部の昇降を行なうようにした理美容用椅子であって、座部の上昇用ペダルと、座部の下降用ペダルおよび座部の回転を阻止するためのロックペダルとを有する理美容用椅子の昇降装置に関する。
【背景技術】
【０００２】
従来における理美容用椅子、特に、美容用椅子のような小型、軽量およびコストの安い椅子にあっては、操作レバーを美容師が足で踏み込んむことでシリンダ内に油タンクより油を供給してラムを上昇させ、施術等が終了したなら前記操作レバーを最下降位置まで踏み込むことでシリンダ内の油をタンク内に戻してラムを下降させて、被施術者が着座している座部を上下動させるものであった。
【０００３】
また、前記座部の上昇位置および下降位置において回転しないようにするためにラムの上部をロックする。一方、操作レバーを踏み込んでラムを昇降する場合にはラムのロックを解除する。そして、前記ロックとロックの解除は、操作レバーを美容師が靴の先で押し上げることでロックを行い、また、操作レバーを踏み込むことでロックの解除を行うものである。
【非特許文献１】http://www.takarabelmont.co.jp/ribiyou/index.html
【発明の開示】
【発明が解決しようとする課題】
【０００４】
ところで、前記した従来における足踏み式の昇降装置にあっては、座部を昇降する時には操作レバーを踏み込むことでラムのロックは解除されるが、座部が昇降した後には前記操作レバーを足先で蹴上げてロックを行なうため靴の爪先を損傷する可能性があり、かつ、操作がし難く、また、座部の上昇を行なうには、操作レバーを何度も踏み込むことで行なうので操作が面倒であると共に座部は間欠的に上昇するので、被施術者に不快感を与えるといった問題もあった。
【０００５】
本発明は前記した問題点を解決せんとするもので、その目的とするところは、従来の足踏み式の椅子に油圧ポンプを取付けスムースな座部の上昇を可能にすると共にコストの低減を図り、また、ラムの上昇と下降用の２つの操作レバーを設けて操作性の向上を図り、さらに、踏み込み式のロックレバーを設けて靴の損傷を防止した理美容用椅子の昇降装置を提供せんとするにある。
【課題を解決するための手段】
【０００６】
本発明の理美容用椅子の昇降装置は前記した目的を達成せんとするもので、請求項１の手段は、踏み込むことによりスイッチをオン状態となしモータポンプを駆動して昇降シリンダを上昇させる上昇ペダルと、踏み込むことにより排油シリンダ内の逆止弁を開放して前記昇降シリンダ内の油を排油させる下降ペダルと、該下降ペダルと前記上昇ペダルとを回転軸によって連結すると共に前記上昇ペダルの回転を前記回転軸に対して遊びを持たせて下降ペダルを踏み込んでも上昇ペダルが前記スイッチをオン状態としないようにし、かつ、上昇ペダルを踏み込んでも下降ペダルによる排油が行なわれないようにしたことを特徴とする。
【０００７】
請求項２の手段は、前記した請求項１において、前記上昇ペダルおよび前記下降ペダルの踏み込み初期において昇降シリンダのラムをロックするロック手段の締め付けを解除し、前記上昇ペダルによる前記昇降シリンダのラムの上昇時、および、前記下降ペダルによる前記昇降シリンダのラムの下降時において、前記上昇ペダルおよび下降ペダルを押し上げることで前記ロック手段によるロックが行なわれることを特徴とする。
【０００８】
請求項３の手段は、前記した請求項１において、前記上昇ペダルおよび前記下降ペダルの踏み込み初期において昇降シリンダのラムをロックするロック手段の締め付けを解除し、前記上昇ペダルによる前記昇降シリンダのラムの上昇停止時、および、前記下降ペダルによる前記昇降シリンダのラムの下降停止時において、前記上昇ペダルおよび下降ペダルを押し上げることで前記ロック手段によるロックが行なわれ、また、ロックペダルを設け、該ロックペダルを踏み込むことで前記ロック手段によるロックが行なわれるようにしたことを特徴とする。
【発明の効果】
【０００９】
本発明は前記したように、上昇ペダルと下降ペダルを同一の回転軸に取付けると共に上昇ペダルに遊びを設けて下降ペダルの踏み込み時に上昇ペダルが干渉しないようにしたので、構造が簡単となってコストの低減を図ることができる。
【００１０】
また、上昇ペダルと下降ペダルの何れにおいても踏み込み終了時に、それぞれのペダルを押し上げることで昇降シリンダのラムのロックが行なえるので、ラムの昇降・回転タイプの構造において操作性の向上が図れる。
【００１１】
さらに、上昇ペダルと下降ペダルの他に踏み込むことで昇降シリンダのラムのロックが行なえるので、従来のようなロックのためにペダルを蹴上げる必要がなくなり、靴の状面に傷を付けることがない等の効果を有するものである。
【発明を実施するための最良の形態】
【００１２】
本発明は、上昇ペダルと下降ペダルを同一の回転軸に取付けると共に上昇ペダルに遊びを設けて下降ペダルの踏み込み時に上昇ペダルが干渉しないようにした。
【実施例１】
【００１３】
以下、本発明に係る理美容用椅子の昇降装置の一実施例を図面と共に説明する。
図１、図２において、１は台盤、２は該台盤１上に固定された座部昇降用の昇降シリンダ３および排油シリンダ４とが収容されたオイルタンクにして、該オイルタンク２のブロック２ａには前記昇降シリンダ３におけるシリンダ３ａの下端が嵌合固定され、また、排油シリンダ４のシリンダ４ａの下端が嵌合固定されている。さらに、ブロック２ａには前記シリンダ３ａ，４ａとを連通する油路２ｂが形成が形成され、該油路２ｂは逆止弁５を介して前記台盤１の裏面に取付けられたモータポンプ６の出口側６ａに接続されている。なお、モータポンプ６の入口側６ｂは前記オイルタンク２に接続されている。
【００１４】
前記昇降シリンダ３のラム３ａの上端には図示しない座部が取付けられ、下部には一端がシリンダ３ｂの油注入口側に開口され、他端がシリンダ３ａ側に開口した排油孔３ｃが形成されている。また、シリンダ３ａのオイルタンク２の油面より高い位置には、前記ラム３ａが上昇して最高の位置に達した時に前記排油孔３ｃと連通する排油口３ｄが形成されている。
【００１５】
前記排油シリンダ４の上下動杆４ａの中間部に設けられた鍔４ｂと前記ブロック２ａとの間にはスプリング４ｃが取付けられており、該スプリング４ｃによって上下動杆４ａは常時上方へバネ付勢されている。また、排油シリンダ４の下部における前記ブロック２ａ内にはスプリング７ａとボール７ｂからなる逆止弁７が形成されている。
【００１６】
前記排油シリンダ４の前記上下動杆４ａの下部には、該上下動杆４ａを最下部位置まで下降させた時に下端が前記ボール７ｂをスプリング７ａのバネ力に抗して押し下げ昇降シリンダ３よりの油を排油するための排油回路４ｄが形成されている。また、前記排油回路４ｄの水平部はシリンダ４ｅに開口されており、かつ、シリンダ４ｅには上下動杆４ａが最下降位置に達した時に前記排油パイプ４ｄの油を油タンク２内に戻すための排油口４ｆが形成されている。
【００１７】
このように構成した昇降装置にあっては、モータポンプ６に通電すると、タンク２内の油は入口側６ｂから吸引され出口側６ａを介して逆止弁５に供給される。該逆止弁５は出口側６ａよりの油圧によって開口されて昇降シリンダ３内に油が供給されるので、ラム３ａはモータポンプ６よりの油の供給が行なわれている間上昇する。そして、モータポンプ６の通電が停止されず油の供給が連続されている場合には、ラム３ａの排油孔３ｃがシリンダ３ｂの排油口３ｄに達した位置において油は油タンク２内に戻されることから、それ以上のラム３ａの上昇は停止される。
【００１８】
そして、施術等が終了して昇降シリンダ３のラム３ａを下降させる場合には、排油シリンダ４における油タンク２より突出してい上下動杆４ａの上端を後述する下降ペダル９を施術者が踏み込んで押し下げると、排油パイプ４ｄがボール７ｂを押し下げ逆止弁７の通路を開放するので、昇降シリンダ３よりの油は逆止弁７から排油パイプ４ｄを介して排油口４ｆから油タンク２内に戻される。従って、ラム３ａは最下降位置に戻されるものである。
【００１９】
次に、前記昇降シリンダ３のラム３ａの上昇および下降を行なうための手段およびラム３ａが上昇位置あるいは下降位置においてラム３ａの回転を阻止し、座部の回転を防止するための手段について説明する。
【００２０】
８は後述する下降ペダル９、上昇ペダル１０、ロックペダル１１およびラム３ａの回転を阻止するためのロック手段１２を取付けるための支持台である。該支持台８には回転軸１３が軸支され、該回転軸１３の一端（図２、図４において左側）には下降ペダル９の上端が固定されたパイプ９ａがネジ止めされている。また、前記回転軸１３の他端には上昇ペダル１０が所望の角度だけ回転軸１３が回転した後に回動するようにパイプ１０ａを介して取付けられている。
【００２１】
すなわち、図５に示すように、回転軸１３に扇状の孔１３ａを形成し、該孔１３ａにピン１３ｂを貫通すると共に該ピン１３ｂの両端をパイプ１０ａに固定することで、下降ペダル９を踏み込んで回転軸１３を回転しても上昇ペダル１０が取付けられているパイプ１０ａは前記扇状の孔１３ａの遊び分だけ遅れて回転を開始することになる。
【００２２】
前記ロックペダル１１は前記支持台８に対して軸１１ａを介して回動自在に軸支されており、この軸１１ａと支持バー１ａとの間にはロックペダル１１の先端を押し上げる方向にスプリング１１ｂによってバネ付勢されている。１４は前記回転軸１３に固定されたコの字状のロック制御杆にして、該ロック制御杆１４から突出された突片１４ａと前記ロック手段１２とは連結片１２ａによって連結されている。
【００２３】
そして、ロック手段１２は前記ロック杆１４が時計方向に回動されるとラム３ａの締め付けを開放し、また、反時計方向に回動されるとラム３ａの締め付けを行いラム３ａの回転を阻止する構造となっている。従って、ラム３ａの昇降時にはロック手段１２によるロックを解除し、ラム３ａの上昇や下降が終了した場合にはロック手段１２によるロックが行なわれるようになっている。
【００２４】
前記ロックペダル１１の上端は、該ペダル１１をスプリング１１ｂのバネ力に抗して踏み込むと前記軸１１ａから突出している押上片１１ｃが前記ロック制御杆１４を反時計方向（ロック方向）に回動し、踏み込みを終了するとスプリング１１ｂによって撥ね上げられる構造となっている。
【００２５】
１５は前記支持台８の前記上昇ペダル１０が取付けられているパイプ１０ａから延長されているスイッチ操作片１０ｂと対向した位置に取付けられたスイッチにして、該スイッチ１５がオン状態になると前記モータポンプ６が駆動状態となって、昇降シリンダ３内に油タンク２内の油が供給されラム３ａが上昇する。
【００２６】
なお、前記した排油シリンダ４の上下動杆４ａの上端は前記ロック制御杆１４におけるコの字状背部と対向して配置されている。従って、下降ペダル９を踏み込んでロック制御杆１４をロック解除方向に回動させると上下動杆４ａを押下するので、ロック解除と共に前記逆止弁７を開放して昇降シリンダ３内の油を油タンク２内に戻してラム３ａの下降が行なわれる。
【００２７】
また、図示していないが、上昇ペダル１０を踏み込んでスイッチ１５をオン状態にし、この状態において踏み込み力を解除した場合に上昇ペダル１０のスイッチ操作片１０ｂがスイッチ１５から離れる位置まで戻すための付勢手段が設けられているものとする。すなわち、下降ペダル９が踏み込まれても上昇ペダル１０が干渉を受けることがない。
【００２８】
なお、前記付勢力はロック手段１２によるラム３ａのロックを行なえる程の付勢力ではなく、ロック手段１２によるラム３ａのロックを行なうためには、ロックペダル１１を踏み込むか、下降ペダル９や上昇ペダル１０を蹴上げるかによって行なえる。
【００２９】
次に、前記した構成に基づいて動作を説明する。
先ず、座部を上昇させる動作について説明するに、上昇ペダル１０を踏み込むと前記パイプ１ａと回転軸１３とによる遊び分だけの踏み込み量の後に、回転軸１３が回転するのでロック制御杆１４が回動してロック手段１２によるラム３ａの締め付けを解除する。さらに、昇降ペダル１０を踏み込むとスイッチ操作片１０ｂがスイッチ１５をオン状態とするので、モータポンプ６が駆動して昇降シリンダ３内に油タンク２内の油を供給してラム３ａを上昇させる。なお、上昇ペダル１０を踏み込んでスイッチ１５をオン状態とする踏み込み量では下降ペダル９による排油シリンダ４の上下動杆４ａを押し下げて逆止弁７を開放することはない。
【００３０】
そして、上昇ペダル１０を踏み続けてラム３ａが最上昇位置に達すると、シリンダ３ｂ内の油は排油孔３ｃ、排油口３ｄを介して油タンク２内に戻される状態となるのでそれ以上の上昇は行なわれない。また、ラム３ａの上昇を途中で停止させる場合には、踏み込んでいた上昇ペダル１０から足を離すと図示しない戻しスプリングによって前記スプリング操作片１１ｂがスイッチ１５から離れてモータポンプ６への通電が遮断されラム３ａの上昇は停止する。この状態において、ロックペダル１１を踏み込むと前記した動作によってロック手段１２によるラム３ａの締め付けが行なわれロック状態となる。
【００３１】
次に、施術等が終了し座部を下降する場合について説明するに、下降ペダル９を踏み込むと回転軸１３が回転して制御杆１４を回動するのでロック手段１２によるラム３ａの締め付けが解除される。さらに、下降ペダル９を踏み込むと排油シリンダ４の上下動杆４ａが押下され、逆止弁７を開放して昇降シリンダ３内の油を油タンク２内に戻してラム３ａの下降が行なわれ、ラム３ａがシリンダ３ｂの下端に到達した時点で下降は停止する。
【００３２】
なお、下降ペダル９の踏み込み時において回転軸１３が回転するので、この回転力は上昇ペダル１０のパイプ１０ａに伝達されるが、パイプ１０ａと回転軸１３との間には遊びが存在するので、下降ペダル９の踏み込み量に対して上昇ペダル１０がスイッチ１５をオン状態とすることはない。そして、前記ラム３ａが下降停止した状態においてロックペダル１１を踏み込むと前記した動作によってロック手段１２によるラム３ａの締め付けが行なわれロック状態となる。
【図面の簡単な説明】
【００３３】
【図１】本発明に係る理美容用椅子の昇降装置を示す概略図である。
【図２】同上の昇降装置における具体例の左側から見た一部断面斜視図である。
【図３】右側から見た斜視図である。
【図４】同上の正面図である。
【図５】回転軸とパイプとの関係を示す断面図である。
【符号の説明】
【００３４】
２            油タンク
３            昇降シリンダ
３ａ          ラム
４            排油シリンダ
６            モータポンプ
７            逆止弁
９            下降ペダル
１０          上昇ペダル
９ａ，１０ａ  パイプ
１１          ロックペダル
１２          ロック手段
１３          回転軸
１５          スイッチ
【図１】
2006288664.tif 000003
【図２】
2006288664.tif 000004
【図３】
2006288664.tif 000005
【図４】
2006288664.tif 000006
【図５】
2006288664.tif 000007